(57)【要約】【課題】電源線を挿入した電線管を取り付けることができる安全性の高い空気調和機の室内機を提供する。【解決手段】室内機本体１の配管取出部２に、配管取出部をシールする配管押え板１ｆを設けた空気調和機の室内機１において、配管押え板１ｆに、電源線を挿入したコンジット管４を固定する電線管取付装置３を設けた。【選択図】  図１
2011202925.tif 000002
【特許請求の範囲】
【請求項１】
室内機本体の配管取出部に、配管取出部をシールする配管押え板を設けた空気調和機の室内機において、
前記配管押え板に、電源線を挿入した金属製電線管を固定する電線管取付装置を設けたことを特徴とする空気調和機の室内機。
【請求項２】
前記電線管取付装置は、室内機本体の板金部品にアース可能に固定されていることを特徴とする請求項１記載の空気調和機の室内機。
【請求項３】
前記電線管取付装置は、筒状に形成され、前記金属製電線管を固定する固定部の近傍に、開閉可能の開閉部を形成していることを特徴とする請求項１または２記載の空気調和機の室内機。
【発明の詳細な説明】
【技術分野】
【０００１】
本発明は、天井埋設形等の空気調和機の室内機に係り、特に、電源線を被覆する金属製電線管（コンジット管）を取付固定する金属製電線管取付装置を設けた空気調和機の室内機に関する。
【背景技術】
【０００２】
従来、天井埋設形等の空気調和機の室内機は、冷媒配管の端部を外部に取り出すための配管取出し部に、その配管の貫通部回りをシールする樹脂製の配管押え板を設け、この配管押え板の下方に、室内機据付現場において、電源線等の配線を挿通させるための現地配線取入口を形成している。または室内機の筐体外郭部品に、現地配線取入口用の挿通孔を設け、ブッシング等によりエッジ保護する構造であった。
【発明の概要】
【発明が解決しようとする課題】
【０００３】
しかしながら、このような従来の室内機では、仮に、据付現場等において、電源線を被覆する金属製電線管（コンジット管）を取り付ける要求がある場合でも、配管押え板には配線を通す現地配線取入口が開口しているだけで、コンジット管を固定する手段が無い。このために、コンジット管を配管押え板に固定することができないので、コンジット管を用いることはできないという課題がある。
【０００４】
また、仮に、室内機据付現場において、現地配線取入口を、コンジット管が挿通可能に加工した場合においても、この現地配線取入口は電気絶縁性を有する樹脂製の配管押え板の挿通孔であるので、コンジット管をアースできない。
【０００５】
さらに、高電圧の電源線を密閉（エンクロージャー）構造に形成できないので、万一、電源線が発火した場合には、その延焼の危険性があるという課題もある。
【０００６】
本発明はこのような事情を考慮してなされたもので、その目的は、電源線を挿入した電線管を取り付けることができる安全性の高い空気調和機の室内機を提供することにある。
【課題を解決するための手段】
【０００７】
本発明は、室内機本体の配管取出部に、配管取出部をシールする配管押え板を設けた空気調和機の室内機において、前記配管押え板に、電源線を挿入した金属製電線管を固定する電線管取付装置を設けたことを特徴とする。
【発明の効果】
【０００８】
本発明によれば、従来からある配管押え板に、金属製電線管を取付固定する電線管取付装置を設けたので、従来の配管押え板の配管シール形状を変更することなく、電線管を取付固定でき、安全性を向上できる。
【図面の簡単な説明】
【０００９】
【図１】本発明の一実施形態に係る空気調和機の室内機本体とこの室内機本体に設けた電線管取付装置の一部を分解して示す斜視図。
【図２】図１で示す金属製電線管（コンジット管）を省略して配管取出部を拡大して示す斜視図。
【図３】図２で示す配管取出部の正面図。
【図４】図１〜図３で示す電線管取付装置と配管押え板の分解斜視図。
【図５】図１で示す電線管から外部へ延出する電源線が電気部品箱内の電源端子に接続されている状態を示す一部拡大平面図。
【図６】図２で示す電線管取付装置の上蓋を取り外した状態の斜視図。
【発明を実施するための形態】
【００１０】
以下、本発明の実施形態を図面に基づいて説明する。なお、複数の図面中、同一または相当部分には同一符号を付している。
【００１１】
図１は本発明の一実施形態に係る空気調和機の室内機本体とこの室内機本体に設けた電線管取付装置の一部を分解して示す斜視図であり、室内機本体の設置状態とは天地を逆にして示している（同様に図２〜図４及び図６においても天地を逆にして示す）。
【００１２】
この図１に示すように室内機本体１は、その配管取出部２に電線管取付装置３を取り付けている。
【００１３】
室内機本体１は、天井埋め込み形空気調和機の室内機として、天井板に設けられた取付け用開口部に室内側から挿入され、吊り下げボルト等を介して、いわゆる天井裏に吊持固定される。この室内機本体１の下面部（図中上面）には、天井板から室内側に露出する化粧パネル（図示しない）が取りけられる。
【００１４】
室内機本体１は、下面部が開口し、天板部１ａ（図中下面）と側面部に金属薄板を加工してなる板金製のケーシング１０を備えている。このケーシング１０の内周面は発泡スチロール材等からなる断熱材が取付けられ、内周面全面に亘って断熱材で覆われている。
【００１５】
室内機本体１内部の略中央部には、送風機１１が配置される。この送風機１１は、軸方向から空気を吸込んで周方向へ吹出す、いわゆる遠心ファンを備えている。送風機１１の上方部位は天板部１ａで覆われるので、室内機本体１の下面部が送風機１１の吸込み側となる。
【００１６】
送風機１１の吹出し側である周囲を囲むようにして、平面視で略四角枠状の熱交換器（図示しない）が配置される。この熱交換器の下部に沿ってドレンパン１２が設けられていて、冷房運転時に熱交換器の熱交換作用にともなって生成されるドレン水を受ける。
【００１７】
ドレンパン１２には、各辺部の周壁外面が室内機本体１の周壁内面に嵌め込まれるうえに、各辺部に内側ヘ凹陥する凹陥部１２ａが形成さる。この各辺部の凹陥部１２ａが吹出し口１ｂとなる。さらにドレンパン１２の略中央部には、開口部が設けられ、この開口部に吸込み口１ｓとなるベルマウス１３が設けられる。この吸込み口１ｓと各吹き出し口１ｂの間に送風機１２と上記熱交換器を介して通風路が形成される。
【００１８】
この１つの吹出口１ｂの吸込み口１ｓ内側には、電気部品を収容する長方形の電気部品箱１ｃが配設されている。電気部品箱１ｃは図示しないアース線に接続されている。
【００１９】
上記室内熱交換器の入口端部と出口端部にそれぞれ接続された冷媒配管の一対の端部１ｄ，１ｅは室内機本体１の配管取出部２外面から外方へ所要長突出し、図示しない室外機の冷媒配管に連結されるようになっている。
【００２０】
配管取出部２は室内機本体１の一側面に形成され、この一側面の外面には、冷媒配管の端部１ｄ，１ｅが外方に突出する突出部外周をシールする樹脂製の配管押え板１ｆが配設されている。
【００２１】
そして、図２，図３にも示すように、この配管押え板１ｆの外面上には、電線管取付装置３がねじ止め等により固定している。電線管取付装置３は、図１で示す金属製電線管であるコンジット管４を固定するものであり、例えば板厚が０．７〜０．８ｍｍの鉄板の板金加工等により鉤状に屈曲された角筒体に構成されている。
【００２２】
コンジット管４は、例えば鉄等の導電性金属により円管に構成され、その内部に電源線が挿入され、この電源線を保護する。すなわち、コンジット管４は電源線の外面を被覆して保護すると共に、アースされて感電の防止を図るものであり、米国のＵＬ（Ｕｎｄｅｒｗｒｉｔｏｒ’ｓ  Ｌａｂｏｒａｔｏｌｉｅ’ｓ  ｉｎｃｏｒｐｏｒａｔｅｄ）規格として電源線に用いるように規定されている。コンジット管４は、コンジット管コネクタ５に挿入され、固定ねじで固定される。コンジット管コネクタ５の先端部には、ねじ溝を形成したねじ部５ａ（図５参照）を有し、このねじ部５ａの付根部分には、外方に突出する外向フランジ５ｂが一体に突設されている。
【００２３】
図４の電線管取付装置３の分解斜視図に示すように、電線管取付装置３は、前面板３ａ、前面側板３ｂ、後板３ｃおよび上蓋３ｄを有し、これらの組付けにより後方（室内機本体１側）へ鉤状に屈曲した角筒に形成されている。
【００２４】
前面板３ａは、図４中縦方向に長い前面部３ａａの図中上部の左右側面に、左右一対の取付耳３ａｂ，３ａｃが一体に突設され、これら取付耳３ａｂ，３ａｃを、その突出基端から後方へほぼ直角に折り曲げている。図４中、右側の取付耳３ａｃは、その後方突出先端部を外側方へほぼ直角に折曲され、その折曲先端部に、配管押え板１ｆのねじ孔１ｆｂにねじ止めされるねじ（図示省略）を挿通させる挿通孔ｈ１が形成されている。
【００２５】
また、前面部３ａａの底部から後方へほぼ直角に折曲された底部３ａｄには、前面部３ａａの側端から図中右側方へ突出する突出端部に、前面側板３ｂをねじ固定するためのねじ挿通孔ｈ２と、後板３ｃにねじ固定するためのねじ挿通孔ｈ３が形成されている。前面板３ａの図４中右側面には側面開口部３ａｅが形成され、図中上方には上部開口３ａｆが形成される。
【００２６】
前面部３ａａには、コンジット管コネクタ５のねじ部５ａを挿入させ、外向きフランジ５ｂよりも小径で、例えば円形のコンジット挿通孔３ａｇ，３ａｈが上下方向に所要の間隔を置いて例えば２個成形されており、その一方は、例えば分岐ユニット用電源線のコンジット管４の取付孔としてノックアウト孔により形成されている。
【００２７】
前面側板３ｂは、前面板３ａの図４中、右側面の側面開口３ａｅを閉じる形状と寸法に形成され、その底部に、図中水平方向に突出する取付耳３ｂａを有し、この取付耳３ｂａには、ねじ挿通孔ｈ４が形成されている。このねじ挿通孔ｈ４に挿通された止めねじを、前面板底部３ａｄのねじ挿通孔ｈ２にねじ込むことにより前面板３ａに取り付けられ、その側面開口３ａｅを閉じる。
【００２８】
後板３ｃは、図４中縦長の後板本体３ｃａと、この後板本体３ｃａの上端部からほぼ直角に屈曲して図中後方（室内機本体１側）へ延在する後方突出部３ｃｂとが一体に連成されており、配管押え板１ｆの図中矩形の切欠き１ｆａ内に嵌入される。
【００２９】
後板本体３ｃａは、その図４中、左側面に、前方に突出する左側板３ｃｃが一体に連成される一方、右側面上部には、この左側板３ｃｃよりも縦方向の長さが短く、前方へ突出する舌片３ｃｄが一体に連成され、この舌片３ｃｄの下方に、前面板３ａの側面開口３ａｅに連通すると共に、これとほぼ同形同大の側面開口３ｃｅが形成されている。後板本体３ｃａはその底部に、図４中前方へほぼ直角に突出する底部３ｃｉが形成され、この底部３ｃｉには、ねじ挿通孔ｈ５が形成されている。このねじ挿通孔ｈ５に挿通された止めねじを、前面板底部３ａｄのねじ挿通孔ｈ３にねじ込むことにより前面板３ａと後板３ｃとが固定される。
【００３０】
後方突出部３ｃｂには、その幅方向両側端部に、図中上方へほぼ直角に起立する左右一対の側壁３ｃｆ，３ｃｇが一体に形成される。右側の側壁３ｃｇには、水平方向に突出する取付耳３ｃｊが一体に形成され、この取付耳３ｃｊには、ねじ挿通孔ｈ６が形成される。左側の側壁３ｃｆの後端部には、後方へ突出する区画壁３ｃｇが一体に連成され、図５に示すように電気部品箱１ｃ内において電源端子１ｃａと通信線端子１ｃｂとを区画する。後方突出部３ｃｂの後方部には、電気部品箱１ｃにねじ止めするためのねじ挿通孔ｈ７が形成されている。
【００３１】
上蓋３ｄは、前面板３ａの上面開口３ａｆと後板３ｃの図４中上面開口３ｃｈとを共に閉じる形状と寸法に形成される。この上蓋３ｄには、略中央に水抜き用孔３ｄａと図中右側後方にねじ挿通孔ｈ８とが形成されている。さらに上蓋３ｄには、上蓋３ｄの図中前方端部から図中下方向に折曲した爪部３ｄｂが形成されている。この爪部３ｄｂを前板３ａのスリット３ａｉに引掛け、上蓋３ｄのねじ挿通孔ｈ８に挿通された止めねじを、後板３ｃのねじ挿通孔ｈ６にねじ込むことにより上蓋３ｄが後板３ｃに固定される。なお、上蓋３ｄの爪部３ｄｂを前板３ａのスリット３ａｉに引掛けることで、上蓋３ｄを前板３ａに吊下げることができる。
【００３２】
次に、このように構成された電線管取付装置３の取付方法を説明する。
【００３３】
まず、図４で示す後板３ｃを、室内機本体１の配管取出部２に既に固定されている配管押え板１ｆの嵌合孔１ｆａ内に嵌入し、その嵌入状態で図５に示すように、後板３ｃの後方突出部３ｃｂの後方突出先端部を、電気部品箱１ｃの一端部上に重ね、ねじ挿通孔ｈ７に止めねじをねじ込むことにより固定し、電気的にも接続する。
【００３４】
次に、この後板３ｃの図４中前面開口端に、前面板３ａ背面開口端を外嵌させ、この前面板３ａの底部３ａｄを後板本体３ｃａの底部３ｃｉを上下方向で重ね合せ、これら底部３ａｄ，３ｃｉのねじ挿通孔ｈ５，ｈ２にねじを挿通させて固定する。この段階では前面板３ａの上面開口３ａｆと側面開口３ａｅが開口されている。
【００３５】
そこで、この後、図１に示すように、コンジット管４及び電源線６を内部に挿入済みのコンジット管コネクタ５の先端部のねじ部５ａを、前面板３ａのコンジット挿通孔３ａｇ内に挿入し、このコンジット挿通孔３ａｇの前面に、コンジット管コネクタ５の外向フランジ５ｂを当接して置く。
【００３６】
次に、前面板３ａの側面開口３ａｅまたは上面開口３ａｆからロックナット７を挿入し、これら開口３ａｅ，３ａｆからその内部へ作業員の指や締付工具を挿入し、図５に示すようにロットナット７をコンジット管コネクタ５の先端部のねじ部５ａに締め付ける。これにより、コンジット管コネクタ５が前面板３ａに固定される。
【００３７】
この後、図５に示すように、コンジット管コネクタ５の開口先端から外部へ突出する複数の電源線６，６の先端部を電気部品箱１ｃ内に延在させ、電源端子１ｃａにねじ止め等により固定する。
【００３８】
次に、前面板３ａに前面側板３ｂをねじ止めにより取り付け、その側面開口３ａｅを閉じる。さらに、上蓋３ｄの爪部３ｄｂを前面板３ａのスリット３ａｉに引掛け、後板３ｃの上面開口端３ａｆ，３ｃｈ上に位置決めし、ねじ挿通孔ｈ８，ｈ６に止めねじを挿通させてねじ止めにより固定する。
【００３９】
したがって、この空気調和機の室内機によれば、その室内機本体１に、コンジット管４を取付固定する電線管取付装置３を設けたので、コンジット管４を使用することができる、しかも、この電線管取付装置３を、室内機本体１の板金部品の一例であって、アース線に接続されている電気部品箱１ｃに取り付けることにより電気的にも接続しているので、コンジット管４をアースすることができる。これにより、米国のＵＬ規格を満たすことができる。
【００４０】
また、この電線管取付装置３を配管押え板１ｆの外面にねじ止めにより装着したので、この配管押え板１ｆのシール形状を変更することなく、電線管取付装置３を設けることができる。
【００４１】
さらに、電線管取付装置３は、配管押え板１ｆよりも外方へ突出する前面板３ａの上面と側面を、上面開口３ａｆと側面開口３ａｅとして開口させたので、これら上面開口３ａｆと側面開口３ａｅからその内側へロックナット７を挿入し、または、作業員の指や締付工具を挿入することができるので、このロックナット７のコンジット管コネクタ５への締付固定作業の容易性を向上できる。
【００４２】
また、このロックナット７の締付固定作業後は、側面開口３ａｅを前面側板３ｂにより閉塞できると共に、前面板３ａの上面開口３ａｆと後板３ｃの上面開口３ｃｈを上蓋３ｄにより閉塞できる密閉（エンクロージャー）構造に構成したので、万一、電源線６が発火した場合でも、その延焼の危険性を低減でき、安全性を向上できる。
【００４３】
なお、上記実施形態では、電線管取付装置３の後板３ｃを金属製の電気部品箱１ｃの一端部に取り付ける場合について説明したが、本発明はこれに限定されるものではなく、例えば電線管取付装置３の一部を室内機本体１の板金部品等電気蓄積容量のあるアース可能部品に取り付けてもよい。
【符号の説明】
【００４４】
１…室内機本体、１ｃ…電気部品箱（板金部品）、１ｆ…配管押え板、２…配管取出部、３…電線管取付装置、３ａ…前面板（固定部）、３ａｅ…側面開口、３ａｆ…上面開口、４…コンジット管（金属製電線管）、５…コンジット管コネクタ、６…電源線、７…ロックナット。
【図１】
2011202925.tif 000003
【図２】
2011202925.tif 000004
【図３】
2011202925.tif 000005
【図４】
2011202925.tif 000006
【図５】
2011202925.tif 000007
【図６】
2011202925.tif 000008